(57)【要約】【課題】  光ディスクを収納したディスクカートリッジを装着し光ディスクにデータを記録する記録再生装置において、長時間ディスクカートリッジを装着したままの状態でも正確にデータを記録する。【解決手段】  シャッター開閉手段と、ターンテーブルと、モータと、データを記録する記録部と、時間出力手段と、バックアップする時間を設定する設定手段と、記録再生手段と、制御手段とを備え、制御手段は、設定手段により設定したバックアップ時間と時間出力手段が出力する時間情報に基づいて、バックアップ動作後にターンテーブルを予め定めた回転速度で予め定めた時間回転させた後にターンテーブルを停止させるようモータを制御する。【選択図】      図５
2006092662.tif 000002
【特許請求の範囲】
【請求項１】
光ディスクを収納し開閉するシャッターを備えたディスクカートリッジを着脱可能な記録再生装置において、ディスクカートリッジの挿入に連動してシャッターを開きディスクカートリッジの排出に連動してシャッターを閉じるシャッター開閉手段と、光ディスクの中心孔を保持するターンテーブルと、前記ターンテーブルを回転させるモータと、外部から入力されるデータを記録する記録部と、時間情報を出力する時間出力手段と、前記記録部に記録されているデータを光ディスクへバックアップする時間を設定する設定手段と、光ディスクにデータを記録しまたは光ディスクおよび前記記録部に記録されているデータを再生する記録再生手段と、前記モータの回転制御および前記記録再生手段の制御をする制御手段とを備え、
前記制御手段は、前記設定手段により設定したバックアップ時間と前記時間出力手段が出力する時間情報に基づいて、バックアップ動作後に前記ターンテーブルを予め定めた回転速度で予め定めた時間回転させた後に前記ターンテーブルを停止させるよう前記モータを制御することを特徴とする記録再生装置。
【請求項２】
光ディスクを収納し開閉するシャッターを備えたディスクカートリッジを着脱可能な記録再生装置において、ディスクカートリッジの挿入に連動してシャッターを開きディスクカートリッジの排出に連動してシャッターを閉じるシャッター開閉手段と、光ディスクの中心孔を保持するターンテーブルと、前記ターンテーブルを回転させるモータと、前記ターンテーブルの回転角度を検出する角度検出部と、前記角度検出部が検出する回転角度に基づいて前記ターンテーブルの回転角度を角度データとして記憶する角度記憶部と、外部から入力されるデータを記録する記録部と、時間情報を出力する時間出力手段と、前記記録部に記録されているデータを光ディスクへバックアップする時間を設定する設定手段と、光ディスクにデータを記録しまたは光ディスクおよび前記記録部に記録されているデータを再生する記録再生手段と、前記モータの回転制御および前記記録再生手段の制御をする制御手段とを備え、
前記制御手段は、前記設定手段により設定したバックアップ時間と前記時間出力手段が出力する時間情報により、光ディスクのシャッターから露出している部分が重複しない予め定めた第１の角度毎に前記ターンテーブルを回転させ、バックアップ時間内に前記ターンテーブルが１回転するよう前記モータを制御し、前記角度検出部が検出する前記ターンテーブルの回転角度と前記角度記憶部が記憶した角度データに基づいてバックアップ動作毎に前記ターンテーブルが停止する回転角度が予め定めた第２の角度異なるよう前記モータを制御することを特徴とする記録再生装置。
【請求項３】
請求項２記載の記録再生装置において、前記制御手段は、前記設定手段により設定したバックアップ時間と前記時間出力手段が出力する時間情報に基づいて、バックアップ動作後に前記ターンテーブルを予め定めた回転速度で予め定めた時間回転させた後に前記ターンテーブルを停止させるよう前記モータを制御することを特徴とする記録再生装置。
【発明の詳細な説明】
【技術分野】
【０００１】
本発明は、ディスクカートリッジに収納された光ディスクの記録または再生を行う記録再生装置に関する。
【背景技術】
【０００２】
従来、電話回線を介して送受信される通話情報を記録及び再生する記録再生装置が知られている。従来の記録再生装置は、ハードディスクドライブ（Hard Disk Drive）（以下、ＨＤＤという。）から成る主記録部とデジタルオーディオテープ（Digital Audio Tape）（以下、ＤＡＴという。）を着脱可能なＤＡＴドライブから成る保存用記録部を備える（例えば、特許文献１参照。）。
図６は、従来の記録再生装置を示すブロック図である。
記録再生装置１００は、着信検出部２、音声処理部３、音声出力部４、主記録部６、保存用記録部７、操作・表示部９、時計部１０及び制御部５００を備える。
【０００３】
着信検出部２は、電話回線に接続された発信元の電話機から送信されるデュアルトーンマルチフリクエンシー（Dual Tone Multi Frequency）(以下、ＤＴＭＦという。）コードを受信し、電話回線が接続されたことを検出し、検出信号を制御部５００へ出力する。ＤＴＭＦコードには、着信元の電話番号等の情報が含まれる。そのため、ＤＴＭＦコードを通話情報と共に主記録部６に記録した場合、ＤＴＭＦコードを用いて主記録部６に記録した通話情報を検索することができる。
【０００４】
音声処理部３は、電話回線から入力される音声信号を圧縮し、音声データに変換する。また、音声処理部３は、主記録部６に記録された音声データを伸張し音声出力部４に出力する。音声出力部４は、伸張された音声データをアナログ音声信号に変換し出力する。
【０００５】
制御部５００は、着信検出部２から検出信号が入力されると、主記録部６に音声データをＤＴＭＦコードと共に記録させる制御をする。主記録部６はＨＤＤから成り、制御部５００の制御により音声処理部３が変換した音声データをＤＴＭＦコードと共にハードディスク（Hard Disk）（以下、ＨＤという。）に記録する。時計部１０は、水晶発振回路を備え、当該水晶発振回路から予め定めた間隔のパルス信号を出力する。
【０００６】
保存用記録部７は、ＤＡＴドライブから成り、制御部５００の制御により音声データをＤＡＴに記録する。制御部５００は、時計部１０が出力するパルス信号に基づいて、予め定めた時間毎、例えば、２４時間毎に主記録部６のＨＤに記録された音声データを保存用記録部７のＤＡＴにバックアップするよう主記憶部７及び保存用記録部７を制御する。保存用記録部７で通話情報をバックアップしたＤＡＴは、保存用記録部７から取り出されて保管される。
【０００７】
操作・表示部９は、主記録部６の通話情報を保存用記録部７にバックアップする指示信号を出力する。また、操作・表示部９は、主記録部６及び保存用記録部７に記録した通話情報を再生することを指示する指示信号を出力する。操作・表示部９は、記録再生装置１００の動作状態を表示する表示部を備える。
【０００８】
制御部５００は、操作・表示部９から出力される指示信号に応じて主記録部６のＨＤＤに記録された音声データを保存用記録部７のＤＡＴにバックアップしたり、主記録部６のＨＤ及び保存用記録部７のＤＡＴに記録した音声データを再生するよう音声処理部３、音声出力部４、主記録部６及び保存用記録部７を制御する。
【０００９】
従来の記録再生装置１００は、主記録部６に高速でランダムアクセス可能なＨＤＤを用いることによって、主記録部６のＨＤに記録された音声データの中から希望する音声データを即座に検索し再生することができる。しかしながら、ＨＤは、通話情報を記録できる容量が限られているため、一定時間毎に主記録部６に記録した通話情報を保存用記録部７によってＤＡＴへバックアップし、主記録部６のＨＤに記録されている音声データの内、ＤＡＴへ保存した音声データを消去して新たに記録可能な容量を確保することによって、主記録部６が常に新しい通話情報を記録することができるようにする構成となっている。
【００１０】
従来の記録再生装置の保存用記録部として用いられているＤＡＴドライブは、テープ媒体であるＤＡＴに音声データを記録するため、ＨＤＤと比較してＤＡＴに記録された通話情報の中から希望する音声データを検索し再生するまでに長い時間を要してしまう。このため、保存用記録部７としてＤＡＴドライブを用いる替わりに、光磁気ディスクから成るディスクに通話情報を記録するＭＯ（Magneto Optical disk）を記録媒体とするＭＯドライブ等の光ディスクドライブを用いることによって、従来のＤＡＴドライブと比較して記録された通話情報を迅速に検索し再生することができる。
【００１１】
従来の光ディスクドライブは、着脱可能なディスクカートリッジに通話情報等の音声データを記録し、また、ディスクカートリッジに記録されている音声データを再生する（例えば、特許文献２参照。）。
【００１２】
図７は、従来のディスクカートリッジと光ディスクドライブを示す図である。
ディスクカートリッジ２０は、ディスク２１、ケース部２２及びシャッター２３を備える。ディスク２１は光磁気ディスクから成り、略中央に中心孔２１１を備え、ケース部２２の内部に収納されている。ケース部２２は、上面及び下面のそれぞれに孔２２２及び孔２２３を備え、それぞれの孔からディスク２１の表面が外部に露出する。ケース部２２は、一端に上面から側面を介して下面に亘って形成された凹部２２１を備える。シャッター２３は、コの字型を形成し、凹部２２１をスライド可能にケース部２２に取り付けられる。
【００１３】
光ディスクドライブは、筐体１５の前面にディスクカートリッジ２０を矢印Ｂ方向へ挿入可能な挿入口１６を備える。光ディスクドライブは、筐体１５の内部に光ピックアップ７０２、磁気ヘッド７０３、ヘッド駆動部７０４、ターンテーブル７０５、シャッター開閉部７０７、図示しないメカベース、カートリッジホルダー、スピンドルモータ及び制御部を備える。カートリッジホルダーは、挿入口１６から挿入されたディスクカートリッジ２０を保持する。シャッター開閉部７０７は、ディスクカートリッジ２０の挿入に連動して移動するレバーと、シャッター２３に係合する係合部を備えている。ディスクカートリッジ２０の矢印Ｂ方向への挿入に連動して、係合部が自動的にシャッター２３を矢印Ｃ方向へスライドさせディスクカートリッジ２０の孔２２２及び孔２２３を開口する。また、シャッター開閉部７０７は、ディスクカートリッジ２０の記録再生装置１００の外部への排出に連動してディスクカートリッジ２０のシャッター２３をスライドさせディスクカートリッジ２０の孔２２２及び孔２２３を閉じる。
【００１４】
ターンテーブル７０５は、ディスク２１の中心孔２１１を保持する。ターンテーブル７０５は、スピンドルモータが回転することによって、ディスク２１を回転させる。光ピックアップ７０２は、ディスク２１の孔２２３の下方となる位置に配置され、ケース部２２の孔２２３を介してディスク２１の下面へレーザ光を照射し、ディスク２１に記録されているデータを読み取る。制御部は、光ピックアップ７０２が読み取ったデータを再生するよう制御する。
【００１５】
磁気ヘッド７０３は、図示しないディスク当接部と当該当接部より上方の位置に磁界印加部を備え、それぞれヘッド駆動部７０４に固定されている。磁気ヘッド７０３は、ヘッド駆動部７０４により駆動され、ケース部２２の孔２２２を介して、当接部がディスク２１の上面に当接し、磁界印加部がディスク２１へＮＳ極の磁界を与える。制御部は、光ピックアップ７０２のフォーカス制御、トラッキング制御及びレーザの出力制御を行う。制御部は、ディスク２１にデータを記録するよう光ピックアップ７０２及び磁気ヘッド７０３を制御する。磁気ヘッド７０３の磁気印加部は、制御部の制御により、ディスク２１へ磁界を与える。光ピックアップ７０２は、制御部の制御により、磁気ヘッド７０３が磁界を与えている状態でディスク２１へレーザを照射し、ディスク２１の磁化膜を一定温度以上とすることで磁化膜の磁化の方向を反転させ、データを記録する。
【００１６】
この構成により、従来の光ディスクドライブは、ディスクカートリッジ２０内部のディスク２１にデータを記録し、また、ディスク２１に記録されているデータを読み取り再生を行う。
【００１７】
以上により、従来の記録再生装置１００の保存用記録部７としてＤＡＴドライブを用いる替わりに、光ディスクドライブを用いることによって、従来のＤＡＴドライブと比較して記録した音声データを迅速に検索し再生することができる。
【００１８】
【特許文献１】特開２００１−１２７８７７号公報
【００１９】
【特許文献２】特開平５−２５０７８７号公報
【発明の開示】
【発明が解決しようとする課題】
【００２０】
従来の光ディスクドライブは、ディスクカートリッジ２０を挿入すると、ディスクカートリッジ２０のシャッター２３を開きディスク２１の表面の一部が孔２２２から露出した状態となる。
【００２１】
従来の光ディスクドライブを記録再生装置１００の保存用記録部７として用いた場合、光ディスクドライブは、ディスク２１を挿入した状態のままで一定時間毎に主記録部６に記録された音声データのバックアップを行う。光ディスクドライブは、前述したバックアップの動作をしないときはディスク２１を挿入した状態でディスク２１の回転を停止している。ディスク２１の回転が停止している時、ディスク表面の一部が孔２２２から露出したままとなる。このため、空中に浮遊している埃が、この間にディスクカートリッジ２０の孔２２２から侵入しディスク２１の上面の一部分に付着する。
【００２２】
孔２２２から侵入した埃がディスク２１の上面の一部分に付着した状態で、主記録部６に記録した音声データを保存用記録部７のディスク２１にバックアップするために磁気ヘッド７０３によってディスク２１へ磁界を与える場合、ディスク２１の埃が付着した一部分では、付着した埃へ磁気ヘッド７０３の当接部が乗り上げた状態となる。これにより、埃が付着していないディスク２１の上面部分と比較して磁気ヘッド７０３の磁界印加部とディスク２１の上面との距離が大きくなるため、ディスク２１へ与える磁界強度が小さくなる。ディスク２１の上面の一部分に付着した埃により磁界印加部とディスク２１との距離が一定以上大きくなると、ディスク２１の磁化膜の磁化方向を反転することができなくなり、光ピックアップ７０２がレーザを照射しても正確に音声データをディスク２１へ記録することができなくなる。
【００２３】
主記録部６に記録された音声データを保存用記録部７によりバックアップすることができなくなると、主記録部６の記憶容量が飽和していまい、新たな音声データを主記録部６に記録することができなくなる虞がある。この場合、保存用記録部７に装着したディスクカートリッジ２０を新たなディスクカートリッジに交換すれば良い。しかしながら、夜間等に無人で記録再生装置１００を運用している場合等は、ディスクカートリッジを交換することができない。
【００２４】
また、バックアップ動作が開始されディスク２１が高速で回転すると、このディスク２１の回転によって気流が発生する。ディスク２１の回転によって筐体の内部に気流が発生すると、筐体の底面に堆積していた埃が気流によって舞上がり、筐体内部の空中に浮遊する。バックアップ動作が終了し、ディスク２１の回転が停止することによって筐体内部の気流がなくなると、それまで筐体１５内部の空中に浮遊していた埃が重力によって下方へ移動する。このため、孔２２２から露出したディスク２１の表面の一部分には、バックアップ動作を行っていないときよりバックアップ動作を行った直後の方が多くの埃が付着してしまう。
【００２５】
本発明は、光ディスクを収納したディスクカートリッジを装着し当該光ディスクにデータを記録する記録再生装置において、ディスクカートリッジを装着したままで定期的にバックアップ動作を長時間に亘って行う場合でも正確にデータを記録することができる記録再生装置を提供することを目的とする。
【００２６】
また、本発明は、バックアップ動作を行った直後にディスクの回転によって発生した気流により空中に浮遊した埃がディスク表面の同一部分に付着してしまい、音声データをバックアップすることができなくなることを防止することができる記録再生装置を提供することを目的とする。
【課題を解決するための手段】
【００２７】
本願の請求項１記載の発明は、光ディスクを収納し開閉するシャッターを備えたディスクカートリッジを着脱可能な記録再生装置において、ディスクカートリッジの挿入に連動してシャッターを開きディスクカートリッジの排出に連動してシャッターを閉じるシャッター開閉手段と、光ディスクの中心孔を保持するターンテーブルと、前記ターンテーブルを回転させるモータと、外部から入力されるデータを記録する記録部と、時間情報を出力する時間出力手段と、前記記録部に記録されているデータを光ディスクへバックアップする時間を設定する設定手段と、光ディスクにデータを記録しまたは光ディスクおよび前記記録部に記録されているデータを再生する記録再生手段と、前記モータの回転制御および前記記録再生手段の制御をする制御手段とを備え、前記制御手段は、前記設定手段により設定したバックアップ時間と前記時間出力手段が出力する時間情報に基づいて、バックアップ動作後に前記ターンテーブルを予め定めた回転速度で予め定めた時間回転させた後に前記ターンテーブルを停止させるよう前記モータを制御することを特徴とする。
【００２８】
本願の請求項２記載の発明は、光ディスクを収納し開閉するシャッターを備えたディスクカートリッジを着脱可能な記録再生装置において、ディスクカートリッジの挿入に連動してシャッターを開きディスクカートリッジの排出に連動してシャッターを閉じるシャッター開閉手段と、光ディスクの中心孔を保持するターンテーブルと、前記ターンテーブルを回転させるモータと、前記ターンテーブルの回転角度を検出する角度検出部と、前記角度検出部が検出する回転角度に基づいて前記ターンテーブルの回転角度を角度データとして記憶する角度記憶部と、外部から入力されるデータを記録する記録部と、時間情報を出力する時間出力手段と、前記記録部に記録されているデータを光ディスクへバックアップする時間を設定する設定手段と、光ディスクにデータを記録しまたは光ディスクおよび前記記録部に記録されているデータを再生する記録再生手段と、前記モータの回転制御および前記記録再生手段の制御をする制御手段とを備え、前記制御手段は、前記設定手段により設定したバックアップ時間と前記時間出力手段が出力する時間情報により、光ディスクのシャッターから露出している部分が重複しない予め定めた第１の角度毎に前記ターンテーブルを回転させ、バックアップ時間内に前記ターンテーブルが１回転するよう前記モータを制御し、前記角度検出部が検出する前記ターンテーブルの回転角度と前記角度記憶部が記憶した角度データに基づいてバックアップ動作毎に前記ターンテーブルが停止する回転角度が予め定めた第２の角度異なるよう前記モータを制御することを特徴とする。
【００２９】
本願の請求項３記載の発明は、請求項２記載の記録再生装置において、前記制御手段は、前記設定手段により設定したバックアップ時間と前記時間出力手段が出力する時間情報に基づいて、バックアップ動作後に前記ターンテーブルを予め定めた回転速度で予め定めた時間回転させた後に前記ターンテーブルを停止させるよう前記モータを制御することを特徴とする。
【発明の効果】
【００３０】
本発明の記録再生装置によれば、光ディスクを収納したディスクカートリッジを装着し当該光ディスクにデータを記録する記録再生装置において、長時間ディスクカートリッジを装着したままの状態でも正確にデータを記録することができる記録再生装置を提供することができる。
【００３１】
また、本発明の記録再生装置によれば、使用者がバックアップ時間を変更したのにも拘らずディスクを予め定めた時間毎に回転させるための時間を変更し忘れてしまったために、音声データをバックアップすることができなくなることを防止することができる。
【００３２】
また、本発明の記録再生装置によれば、バックアップ動作を行った直後にディスクの回転によって発生した気流により空中に浮遊した埃がディスク表面の同一部分に付着してしまい、音声データをバックアップすることができなくなることを防止することができる。
【発明を実施するための最良の形態】
【００３３】
本発明の実施の形態を図面を参照して説明する。なお、従来技術で示した構成要素と同一の部分については同符号を用いる。
【００３４】
図１は、本発明の記録再生装置の一実施例の外観を示す斜視図である。
図２は、本発明の記録再生装置の一実施例の構成を示すブロック図である。
【００３５】
記録再生装置１は、筐体１５の前面に挿入口１６及び操作・表示部９を備え、筐体１５の内部に保存用記録部７を備える。
記録再生装置１は、着信検出部２、音声処理部３、音声出力部４、制御部５、主記録部６、保存用記録部７、検出部８、操作・表示部９、時計部１０、バックアップ時間設定部１１、角度検出部１２及び角度記憶部１３を備える。
【００３６】
着信検出部２は、電話回線に接続された発信元の電話機から送信されるＤＴＭＦコードを受信し、電話回線が接続されたことを検出し、検出信号を制御部５へ出力する。ＤＴＭＦコードには、着信元の電話番号等の情報が含まれる。そのため、ＤＴＭＦコードを通話情報と共に主記録部６に記録した場合、ＤＴＭＦコードを用いて通話情報を検索することができる。
【００３７】
音声処理部３は、電話回線から入力される音声信号を圧縮し、音声データに変換する。また、音声処理部３は、主記録部６に記録された音声データを伸張し音声出力部４に出力する。音声出力部４は、伸張された音声データをアナログ音声信号に変換し出力する。
【００３８】
制御部５は、着信検出部２から検出信号が入力されると、主記録部６に音声データを記録させる制御をする。主記録部６はＨＤＤから成り、制御部５の制御により音声処理部３が変換した音声データをＤＴＭＦコードと共にＨＤに記録する。時計部１０は、水晶発振回路を備え、当該水晶発振回路から予め定めた間隔のパルス信号を出力する。
【００３９】
保存用記録部７は、制御部５の制御により、音声データをディスクカートリッジ２０に記録する。ディスクカートリッジ２０の構成については、後述する。
【００４０】
バックアップ時間設定部１１は、主記録部６が常に新しい音声データを記録可能となる容量を確保するために、主記録部６に記録された音声データを、保存用記録部７に装着されたディスクカートリッジ２０のディスク２１へ定期的に記録し、主記録部６に記録されている音声データの内、保存用記録部７へ記録した音声データを消去するという一連の動作、すなわちバックアップ動作を行ってから次のバックアップ動作を行うまでの時間（バックアップ時間）を任意の時間に設定し、設定した時間を示す設定信号を出力する。
【００４１】
制御部５は、時計部１０が出力する時間情報とバックアップ時間設定部１１が出力する設定信号に基づいて、バックアップ時間設定部１１により設定したバックアップ時間毎に主記録部６に記録された音声データを保存用記録部７に装着されたディスクカートリッジ２０にバックアップするよう主記録部６及び保存用記録部７を制御する。
【００４２】
操作・表示部９は、主記録部６及び保存用記録部７に記録した音声データを再生するよう指示する指示信号を出力する。操作・表示部９は、記録再生装置１の動作状態を表示する表示部を備える。
【００４３】
制御部５は、操作・表示部９から出力される指示信号に応じて主記録部６及び保存用記録部７に記録した音声データを再生するよう音声処理部３、音声出力部４、主記録部６及び保存用記録部７を制御する。
【００４４】
図３は、ディスクカートリッジ２０の構成を示す図で、図３（ａ）は上面図、図３（ｂ）は下面図、（ｃ）は図３（ａ）の状態からシャッター２３をスライドした状態を示す図、（ｄ）は図３（ｃ）の下面図である。
【００４５】
ディスクカートリッジ２０は、ディスク２１、ケース部２２及びシャッター２３を備える。ディスク２１は光磁気ディスクから成り、略中央に中心孔２１１を備え、ケース部２２の内部に収納されている。ケース部２２は、上面及び下面のそれぞれに貫通する孔２２２及び孔２２３を備える。ケース部２２は、一端に上面から側面を介して下面に亘って凹部２２１を備える。シャッター２３は、コの字型を形成し、凹部２２１を矢印Ｃ方向及びＤ方向へスライド可能にケース部２２に保持される。ディスクカートリッジ２０は、シャッター２３を矢印Ｃ方向へスライドさせるとケース部２２の孔２２２及び孔２２３が開口した状態となり、図３（ｃ）及び図３（ｄ）に示すように、孔２２２及び孔２２３からディスク２１の表面の一部が露出する。
【００４６】
図４は、本発明の一実施例である記録再生装置１の保存用記録部７を示す図であり、図４（ａ）はディスクカートリッジ２０を挿入した状態を示す上面図、図４（ｂ）は図４（ａ）の側面図である。
【００４７】
保存用記録部７は、メカベース７０１、光ピックアップ７０２、磁気ヘッド７０３、ヘッド駆動部７０４、ターンテーブル７０５、スピンドルモータ７０６、シャッター開閉部７０７、図示しないカートリッジホルダー及び制御部を備える。メカベース７０１は、光ピックアップ７０２、ヘッド駆動部７０４、スピンドルモータ７０６及びシャッター開閉部７０７を保持する。
【００４８】
カートリッジホルダーは、挿入口１６から挿入されたディスクカートリッジ２０を保持する。シャッター開閉部７０７は、ディスクカートリッジ２０の挿入に連動して移動するレバーと、シャッター２３に係合する係合部を備え、ディスクカートリッジ２０の矢印Ｂ方向への挿入に連動して、係合部がシャッター２３を矢印Ｃ方向へスライドさせディスクカートリッジ２０の孔２２２及び孔２２３を開口する。また、シャッター開閉部７０７は、ディスクカートリッジ２０の排出に連動してディスクカートリッジ２０のシャッター２３をスライドさせディスクカートリッジ２０の孔２２２及び孔２２３を閉じる。
【００４９】
スピンドルモータ７０６は、制御部の制御によりシャフトに固定されたターンテーブル７０５を回転させる。ターンテーブル７０５は、ディスク２１の中心孔２１１を保持し、ディスク２１を回転させる。光ピックアップ７０２は、ケース部２２の孔２２３の下方に配置され、孔２２３を介してディスク２１へレーザ光を照射し、ディスク２１に記録されている音声データを読み取る。また、光ピックアップ７０２は、制御部の制御により、ディスク２１へ音声データを記録するためのレーザ光を照射する。制御部は、光ピックアップ７０２が読み取った音声データを再生するよう制御する。磁気ヘッド７０３は、ヘッド駆動部７０４により駆動され、ケース部２２の孔２２２を介してディスク２１の上面へＮＳ極の磁界を与える。制御部は、光ピックアップ７０２のフォーカス制御、トラッキング制御及びレーザの出力制御を行う。また、制御部は、磁気ヘッド７０３からの磁界と光ピックアップ７０２からのレーザによりディスク２１に音声データを記録するよう制御する。
【００５０】
図２に示す検出部８は、ディスクカートリッジ２０の挿入に連動して移動し、ディスクカートリッジ２０の排出に連動して元の位置に戻る図示しないスライドスイッチを備える。検出部８は、このスライドスイッチにより、保存用記録部７にディスクカートリッジ２０が装着されているか否かを検出する。検出部８は、スピンドルモータ７０６に電力が供給されているか否かを検出する電力検出部８ａを備える。検出部８は、この電力検出部８ａにより、スピンドルモータ７０６に電力が供給され回転しているか否かを検出する。
【００５１】
図２に示す制御部５は、検出部８によってディスクカートリッジ２０が挿入されていることを検出すると、バックアップ時間設定部１１から出力される設定信号と時計部１０から出力される時間情報に基づいて算出した時間毎に、スピンドルモータ７０６を予め定めた角度だけ回転させるよう保存用記録部７を制御する。制御部５は、スピンドルモータ７０６が回転を停止してからスピンドルモータ７０６を回転させるまでの時間を、（バックアップ時間）／６とする。例えば、バックアップ時間が２４時間である場合、スピンドルモータ７０６が回転を停止してからスピンドルモータ７０６を回転させるまでの時間を、２４／６＝４時間とする。また、バックアップ時間が１２時間である場合、スピンドルモータ７０６が回転を停止してからスピンドルモータ７０６を回転させるまでの時間を、１２／６＝２時間とする。また、バックアップ時間が６時間である場合、スピンドルモータ７０６が回転を停止してからスピンドルモータ７０６を回転させるまでの時間を、６／６＝１時間とする。ただし、スピンドルモータ７０６が回転を停止してからスピンドルモータ７０６を回転させるまでの時間はこれらに限定されない。当該時間は、使用者が任意に設定が可能とする構成としても良い。
【００５２】
制御部５は、時計部１０から出力される時間情報に基づいて、検出部８によって検出されたディスクカートリッジ２０が挿入されている状態で上述したバックアップ時間に基づいて算出したスピンドルモータ７０６を回転させる時間に達したか否かを判断する。制御部５は、スピンドルモータ７０６を回転させる時間に達したと判断した場合、スピンドルモータ７０６を予め定めた第１の角度、例えば、６０度だけ回転させるよう保存用記録部７を制御する。
【００５３】
角度検出部１２は、ターンテーブル７０５の外周に備えた図示しない目印の位置を検出するセンサー（図示しない）を備え、このセンサーによってターンテーブル７０５の回転角度を検出する。
【００５４】
制御部５は、角度検出部１２が検出するターンテーブル７０５の回転角度に基づいて、ディスクカートリッジ２０が装着されたときのターンテーブル７０５の回転角度を記憶するよう角度記憶部１３を制御する。
【００５５】
角度記憶部１３は、制御部５の制御により、角度検出部１２が検出したターンテーブル７０５の回転角度を角度データとして記憶する。
【００５６】
制御部５は、バックアップ動作が終了した後、ターンテーブル７０５がバックアップ動作中の回転速度より遅い回転速度、例えば、１０秒毎に１回転する回転速度で予め定めた時間、例えば、５分間回転するようスピンドルモータ７０６を制御する。その後、制御部５は、角度検出部１２が検出するターンテーブル７０５の回転角度と角度記憶部１３に記憶した角度データに基づいて、バックアップ動作を行った後にターンテーブル７０５が停止する回転角度を角度記憶部１３に記憶した角度データが示す回転角度に予め定めた第２の角度、例えば、７５度を足した角度で停止するようスピンドルモータ７０６を制御する。その後、制御部５は、角度検出部１２が検出するターンテーブル７０５の回転角度に基づいて、角度記憶部１３に記憶されている角度データを更新して記憶するよう角度記憶部１３を制御する。角度記憶部１３は、制御部５の制御により、それまで記憶していた角度データを新たな角度データに更新して記憶する。
【００５７】
図５は、本発明の一実施例である記録再生装置１の保存用記録部７を示す図で、図５（ａ）はディスクカートリッジ２０を挿入した状態を示す上面図、図５（ｂ）は図５（ａ）の状態から４時間が経過した後の状態を示す上面図である。本実施例においては、バックアップ時間設定部１１により設定するバックアップ時間が２４時間に設定されているものとする。
【００５８】
図５（ａ）に示すように、シャッター２３がシャッター開閉部７０７によって開口された状態で、孔２２２からディスク２１の表面の一部が露出している部分を範囲Ｅで示す。
【００５９】
バックアップ時間設定部１１は、バックアップ時間が２４時間であることを示す設定信号を出力する。制御部５は、バックアップ時間設定部１１から出力されるバックアップ時間が２４時間であることを示す設定信号に基づいて、スピンドルモータ７０６が停止してからスピンドルモータ７０６を６０度だけ回転させるまでの時間を４時間と算出する。
【００６０】
制御部５は、時計部１０から出力される時間情報に基づいて、図５（ａ）の状態からディスク２１が回転していない時間が４時間に達したと判断すると、スピンドルモータ７０６を６０度回転するよう制御する。スピンドルモータ７０６が回転することによってターンテーブル７０５に保持されたディスク２１が図５（ｂ）に示すように、矢印Ａ方向へ回転する。すると、ディスク２１の範囲Ｅが孔２２２から露出しなくなり、範囲Ｅと異なる領域が孔２２２から露出する。
【００６１】
以上の構成により、バックアップ時間設定部１１により設定したバックアップ時間が２４時間の場合、ターンテーブル７０５が回転しない時間が４時間に達する毎にディスク２１が６０度回転する。よって、バックアップ動作を行わない約２４時間の間、ディスク２１は４時間毎に６０度回転し、２４時間で１回転する。
【００６２】
これにより、バックアップ動作を行なわない２４時間の間、ディスク２１が停止したままの状態となってしまうことにより、孔２２２から露出したディスク２１の表面の一部分のみに埃が付着することを防止することができる。
【００６３】
次に、本実施例の記録再生装置１の記録動作について説明する。
本実施例において、バックアップ時間設定部１１により設定するバックアップ時間が２４時間に設定され、制御部５はスピンドルモータ７０６を４時間毎に第１の角度である６０度回転させるよう制御するものとする。また、制御部５は、バックアップ動作が終了した後、ターンテーブル７０５が１０秒毎に１回転する回転速度で５分間回転するよう制御するものとする。また、制御部５は、その後に角度記憶部１３に記憶した角度データが示す回転角度に第２の角度である７５度を足した回転角度でターンテーブル７０５を停止させるよう制御するものとする。
【００６４】
図６は、本実施例の記録再生装置１の記録動作を説明するフローチャート図である。
図６に示すように、先ず、保存用記録部７にディスクカートリッジ２０を装着し（ステップ１）、バックアップ時間設定部１１によってバックアック時間を２４時間に設定する。制御部５は、バックアップ時間設定部１１から出力される設定信号と時計部１０から出力される時間情報に基づいて、スピンドルモータ７０６が回転を停止してからスピンドルモータ７０６を６０度だけ回転させるまでの時間を４時間と算出する（ステップ３）。角度検出部１２は、ターンテーブル７０５の回転角度を検出する。本実施例では、このときにターンテーブル７０５が停止した状態の回転角度を０度とする（ステップ４）。角度記憶部１３は、制御部５の制御により、ターンテーブル７０５の回転角度が０度であることを示す角度データを記憶する（ステップ５）。
【００６５】
スピンドルモータ７０６は、制御部５の制御により、４時間毎に第１の角度、即ち、６０度だけ回転する（ステップ６）。次に、制御部５は、時計部１０から出力される時間情報に基づいて、バックアップ動作を開始する時間に達したか否かを判断する（ステップ７）。ステップ７において、バックアップ時間に達していない場合はステップ６に戻る。
【００６６】
ステップ７において、バックアップ時間に達した場合、制御部５は、スピンドルモータ７０６を回転させ、主記録部６に記録されている音声データを保存用記録部７に装着されたディスクカートリッジ２０のディスク２１へバックアップする（ステップ８）。
【００６７】
バックアップ動作が終了した後、制御部５は、ターンテーブル７０５が１０秒毎に１回転するようスピンドルモータ７０６を制御する（ステップ９）。ステップ９において、制御部５は、ターンテーブル７０５が１０秒毎に１回転してから５分が経過したか否かを判断する（ステップ９）。ステップ９において、５分が経過していない場合は、ステップ９に戻る。
【００６８】
ステップ１０において、５分が経過した場合、制御部５は、角度記憶部１３に記憶した０度の角度データに第２の角度（７５度）を足した回転角度でターンテーブル７０５を停止させるようスピンドルモータ７０６を制御する。スピンドルモータ７０６は、制御部５の制御により、ターンテーブル７０５の回転角度が７５度となった位置でターンテーブル７０５を停止させる（ステップ１１）。そして、制御部５は、角度記憶部１３が記憶する角度データを７５度を示す角度データに更新して記憶するよう制御する。角度記憶部１３は、制御部５の制御により、それまで記憶していた０度を示す角度データを７５度を示す角度データに更新して記憶し（ステップ１２）、ステップ６に戻る。
【００６９】
以上の構成により、ディスクカートリッジ２０を装着してから、２４時間毎にバックアップ動作が行われる場合、バックアップ動作が終了した後にターンテーブル７０５が１０秒毎に１回転する回転速度で５分間回転し、その後、ターンテーブル７０５の回転角度は、バックアップ動作毎に７５度だけ異なった回転角度で停止した状態となる。
【００７０】
バックアップ動作が開始されディスク２１が高速で回転すると、このディスク２１の回転によって気流が発生する。ディスク２１の回転によって筐体１５の内部に気流が発生すると、筐体１５の底面に堆積していた埃が気流によって舞上がり、筐体１５内部の空中に浮遊する。バックアップ動作が終了し、ディスク２１の回転が停止することによって筐体１５内部の気流がなくなると、それまで筐体１５内部の空中に浮遊していた埃が重力によって下方へ移動する。このため、孔２２２から露出したディスク２１の表面の一部分には、バックアップ動作を行わないときよりバックアップ動作を行った直後の方が多くの埃が付着してしまう。
【００７１】
記録再生装置１は、バックアップ動作が行われた場合、バックアップ動作終了後もターンテーブル７０５が１０秒毎に１回転する回転速度で５分間回転し続けることから、バックアップ動作によって舞上がった埃がディスク表面の同一部分に付着することを防止することができる。
【００７２】
記録再生装置１は、バックアップ動作終了後にターンテーブル７０５が５分間回転したその後、ターンテーブル７０５は、バックアップ動作毎に７５度だけ異なった回転角度で停止した状態となることから、ターンテーブル７０５に載置されたディスク２１もバックアップ動作毎に７５度だけ異なった回転角度で停止することになる。このことにより、例えば、バックアップ動作毎にディスク２１の回転角度が６０度異なった回転角度で停止する構成とすると、バックアップ動作が６回行われた際のディスク２１の回転角度がバックアップ動作以前の回転角度に戻ってしまい、孔２２２から露出するディスク２１の表面の一部分がバックアップ動作前と同一となってしまうが、本実施例では、バックアップ動作毎にディスク２１の回転角度が７５度だけ異なった回転角度で停止する構成としたことにより、孔２２２から露出するディスク２１の表面の一部分がバックアップ動作毎に異なる。これにより、バックアップ動作が複数回行われた場合でも孔２２２から露出するディスク２１の表面部分が同一にならないので、空中に浮遊している埃がバックアップ動作毎にディスク表面の同一部分に付着することを防止することができる。このため、バックアップ毎にターンテーブル７０５を停止させる場合は、３６０度の約数とならない回転角度毎に異なる回転角度でターンテーブル７０５を停止させる構成とすることが望ましい。
【００７３】
以上により、本実施例の記録再生装置１は、バックアップ時間設定部１１によりバックアップ時間を設定することによって、スピンドルモータ７０６が停止してからスピンドルモータ７０６を６０度回転させるまでの時間を制御部５が自動的に算出するので、ディスク２１を予め定めた時間毎に回転させるための時間を設定する必要がない。このことにより、例えば、ディスク２１を予め定めた時間毎に回転させるための時間を使用者が設定する記録再生装置を用いた場合、使用者がバックアップ時間を変更したのにも拘らずディスク２１を予め定めた時間毎に回転させるための時間を変更し忘れてしまったために、ディスク２１の表面の一部分のみに埃が付着し、音声データをバックアップすることができなくなることを防止することができる。
【００７４】
本実施例の記録再生装置１は、バックアップが終了した後もターンテーブル７０５に載置されたディスク２１がバックアップ動作中の回転速度より遅い回転速度で一定時間回転し続けることから、バックアップ動作を行った直後に空中に浮遊した埃がディスク表面の同一部分に付着してしまい、音声データをバックアップすることができなくなることを防止することができる。
【００７５】
本実施例の記録再生装置１は、バックアップ動作毎にディスク２１の回転角度が異なった回転角度で停止した状態となることから、バックアップ動作が終了して一定時間が経過した後も未だに空中に浮遊している埃がバックアップ動作毎にディスク表面の同一部分に付着してしまい、音声データをバックアップすることができなくなることを防止することができる。
【図面の簡単な説明】
【００７６】
【図１】本発明の記録再生装置の一実施例の外観を示す斜視図。
【図２】本発明の記録再生装置の一実施例の構成を示すブロック図。
【図３】ディスクカートリッジ２０の構成を示す図。
【図４】本発明の一実施例である記録再生装置１の保存用記録部７を示す図。
【図５】本発明の一実施例である記録再生装置１の保存用記録部７のスピンドルモータ７０６を回転した状態を示す図。
【図６】本実施例の記録再生装置１の記録動作を説明するフローチャート図。
【図７】従来の記録再生装置を示すブロック図。
【図８】従来のディスクカートリッジと光ディスクドライブを示す図。
【符号の説明】
【００７７】
１  記録再生装置、２  着信検出部、３  音声処理部、４  音声出力部、
５  制御部、６  主記録部、７  保存用記録部、７０１  メカベース、
７０２  光ピックアップ、７０３  磁気ヘッド、７０４  ヘッド駆動部、
７０５  ターンテーブル、７０６  スピンドルモータ、
７０７  シャッター開閉部、８  検出部、９  操作・表示部、
１０  時計部、１１  バックアップ時間設定部、
１２  角度検出部、１３  角度記憶部、
１５  筐体、１６  挿入口、
２０  ディスクカートリッジ、２１  ディスク、２１１  中心孔、
２２  ケース部、２２１  凹部、２２２  孔、２２３  孔、
２３  シャッター、１００  記録再生装置、５００  制御部
【図１】
2006092662.tif 000003
【図２】
2006092662.tif 000004
【図３】
2006092662.tif 000005
【図４】
2006092662.tif 000006
【図５】
2006092662.tif 000007
【図６】
2006092662.tif 000008
【図７】
2006092662.tif 000009
【図８】
2006092662.tif 000010